(57)【要約】      （修正有）【課題】発電効果を向上させる路面発電コンポーネントを提供する。【解決手段】路面発電コンポーネントは、ガラス層１と、太陽電池チップ２と、基板４と、熱抵抗３とを含む。太陽電池チップ２はガラス層１と基板４の間に設けられ、熱抵抗３は基板４に嵌め込まれるか、または基板４の太陽電池チップ２から離れる側に設けられる。本願に提供される熱抵抗を備える路面発電コンポーネントは、熱抵抗を設置し、コンポーネント全体の温度を向上させることによって、ガラス層上の氷雪を融解し、太陽電池チップの光の吸収率を向上させ、発電性能を向上する。 【選択図】図１
0003217962.tif 000002
【実用新案登録請求の範囲】
【請求項１】
ガラス層と、太陽電池チップと、基板と、熱抵抗とを含み、
前記太陽電池チップは、前記ガラス層と前記基板の間に設けられ、
前記熱抵抗は、前記基板に設けられることを特徴とする路面発電コンポーネント。
【請求項２】
前記太陽電池チップは、前記基板に敷設されることを特徴とする請求項１に記載の路面発電コンポーネント。
【請求項３】
前記太陽電池チップは、ブチルゴムにより前記基板に接着されることを特徴とする請求項２に記載の路面発電コンポーネント。
【請求項４】
前記太陽電池チップは、前記ガラス層の前記基板に近接する側に設けられることを特徴とする請求項１に記載の路面発電コンポーネント。
【請求項５】
前記ガラス層は、上層ガラスと下層ガラスを含み、前記上層ガラスと前記下層ガラスはシート状の接着層により固定して接続され、
前記太陽電池チップは、下層ガラスの前記基板に近接する側に設けられることを特徴とする請求項４に記載の路面発電コンポーネント。
【請求項６】
前記上層ガラスと前記下層ガラスの厚さは、いずれも３〜１５ｍｍであることを特徴とする請求項５に記載の路面発電コンポーネント。
【請求項７】
前記上層ガラスと前記下層ガラスの厚さは、いずれも１０ｍｍであることを特徴とする請求項６に記載の路面発電コンポーネント。
【請求項８】
前記シート状の接着層の厚さは、０.１〜２ｍｍであることを特徴とする請求項５に記載の路面発電コンポーネント。
【請求項９】
前記シート状の接着層の材質は、エチレンー酢酸ビニル共重合体、ポリビニルブチラール、ポリオレフィンエラストマーまたは２,４,６-トリメチルベンゾイル-ジフェニル-フォスフィンオキサイドであることを特徴とする請求項５に記載の路面発電コンポーネント。
【請求項１０】
前記熱抵抗は、前記基板に嵌め込まれるか、または前記基板の前記太陽電池チップから離れる側に設けられることを特徴とする請求項１に記載の路面発電コンポーネント。
【考案の詳細な説明】
【技術分野】
【０００１】
本願は、２０１７年０７月０６日に中国特許庁に提出された、出願番号が２０１７２０８１３６８５.０で、実用新案の名称が「熱抵抗を備える路面発電コンポーネント」である、中国出願を優先権とする。優先権実用新案の全ての内容は援用されることによって、本願に結合されている。
本願は、太陽光発電技術に関し、特に、路面発電コンポーネントに関する。
【背景技術】
【０００２】
新エネルギー技術が継続的に発展していることに伴って、分散型の太陽光発電は人々により便利なエネルギーを供給する。太陽エネルギーの固有特性に鑑みると、場所キャリアとして、分散式の太陽光発電は一定の平面または立面の空間を必要とする。
【０００３】
現在、交通分野において、大量の照明、モニタ、指示などのセットの電気施設を利用しているため、電力の需要が著しく高い。セットの電気施設を配置した屋上以外に、また多い箇所に太陽光発電システムを取り付くことができる。例えば、公園、歩道、ウォーキングストリートの路面に太陽光発電を利用することができる。その上に、太陽エネルギーにより発電する路面発電コンポーネントを敷設することで、景観施設、照明、モニタ、情報アラートなどのセットの電気施設に電力供給することができる。
【考案の概要】
【考案が解決しようとする課題】
【０００４】
緯度が比較的に高い地域において、冬の路面は常に雪や霜が積もるため、光の吸収率に影響を与え、発電効果に影響を与える。
【０００５】
本願は、従来技術における問題を解決し、発電効果を向上させる路面発電コンポーネントを提供することを目的とする。
【課題を解決するための手段】
【０００６】
本願に提供する路面発電コンポーネントは、ガラス層と、太陽電池チップと、基板と、熱抵抗と、を含む。前記太陽電池チップは、前記ガラス層と前記基板の間に設けられ、前記熱抵抗は前記基板に設けられる。
【０００７】
また前記熱抵抗は、前記基板に嵌め込まれるか、前記基板の前記太陽電池チップから離れる側に設けられる。
【０００８】
好ましくは、前記太陽電池チップは前記基板に敷設される。
【０００９】
好ましくは、前記太陽電池チップはブチルゴムにより前記基板に接着される。
【００１０】
好ましくは、前記太陽電池チップは前記ガラス層の前記基板に近接する側に設けられる。
【００１１】
好ましくは、前記ガラス層は上層ガラスと下層ガラスを含み、前記上層ガラスと前記下層ガラスはシート状の接着層により固定して接続され、前記太陽電池チップは下層ガラスの前記基板に近接する側に設けられる。
【００１２】
好ましくは、前記上層ガラスと前記下層ガラスの厚さはいずれも３〜１５ｍｍである。
【００１３】
好ましくは、前記上層ガラスと前記下層ガラスの厚さはいずれも１０ｍｍである。
【００１４】
好ましくは、前記シート状の接着層の厚さは０.１-２ｍｍである。
【００１５】
好ましくは、前記シート状の接着層の材質は、エチレンー酢酸ビニル共重合体（ＥＶＡ）、ポリビニルブチラール（ＰＶＢ）、ポリオレフィンエラストマー（ＰＯＥ）または２,４,６-トリメチルベンゾイル-ジフェニル-フォスフィンオキサイド（ＴＰＯ）である。
【考案の効果】
【００１６】
本願に提供される熱抵抗を備える路面発電コンポーネントは、熱抵抗を設置し、コンポーネント全体の温度を向上させることによって、ガラス層上の氷雪を融解し、太陽電池チップの光の吸収率を向上させ、発電性能を向上する。
【図面の簡単な説明】
【００１７】
本考案の実施例または従来の技術における技術案をより明らかに説明するために、以下、実施例または従来の技術に対する説明に必要な図面を簡単に紹介する。明らかなのは、下記の図面は本考案のいくつかの実施例であり、当業者にとって、創造的な労働を費やさないことを前提として、これらの図面に基づいて、ほかの図面を取得することができる。
【図１】本願の実施例に提供される路面発電コンポーネントの構造の模式図である。
【図２】図１におけるＡ箇所の拡大図である。
【考案を実施するための形態】
【００１８】
以下、本願の実施例を詳しく説明する。前記実施例の例は図面に示され、同じまたは類似する記号は、始終同じまたは類似する素子、或いは同じまたは類似する機能を有する素子を示す。図面を参照しながら説明される以下の実施例は例示であり、本願を限定することはなく、本願を解釈するものである
【００１９】
図１は、本願の実施例に提供される路面発電コンポーネントの構造の模式図であり、図２は図１におけるＡ箇所の拡大図である。
【００２０】
図１及び図２に示すように、本願の実施例に提供される熱抵抗を備える路面発電コンポーネントは、ガラス層１と、太陽電池チップ２と、基板４と、熱抵抗３とを含む。
【００２１】
太陽電池チップ２は、ガラス層１と基板４の間に設けられ、光エネルギーを吸収して、発電する。熱抵抗３は、基板４に嵌め込まれ、つまり、基板４の内部に嵌め込まれ、基板４の太陽電池チップ２から離れる側に設けられてもよい。図１と図２において、熱抵抗３が基板４のボトム部に設けられることを例としているが、これに限定されない。好ましくは、基板４は熱伝導性能が優れた金属材質であり、本実施例において、基板４はアルミニウム基板である。
【００２２】
本願の実施例に提供される熱抵抗を備える路面発電コンポーネントは、熱抵抗３を設置し、コンポーネント全体の温度を向上させることによって、ガラス層１上の氷雪を融解し、太陽電池チップ２の光吸収率を向上させ、発電性能を向上する。
【００２３】
太陽電池チップ２は、基板４に敷設されてもよく、ガラス層１の基板４に近接する側に設けられてもよい。太陽電池チップ２は複数の方法を介して固定でき、本実施例において、太陽電池チップ２はブチルゴム５により基板４に固定されるか、またはブチルゴムによりガラス層１に固定される。
【００２４】
好ましくは、ガラス層１は、上層ガラス１１と下層ガラス１２を含み、上層ガラス１１と下層ガラス１２はシート状の接着層１３により固定して接続される。太陽電池チップ２は下層ガラス１２の前記基板４に近接する側に設けられる。二層のガラスを設置することで、路面発電コンポーネントの緩衝性能を効果的に向上させ、ガラス層１の破断を避ける。
【００２５】
ガラス層１の強度を保証するとともに、コンポーネントの全体の体積をなるべく低減させるために、上層ガラス１１と下層ガラス１２の厚さはいずれも３〜１５ｍｍに設置することができ、好ましくは１０ｍｍである。シート状の接着層１３の材質はＥＶＡ（エチレンー酢酸ビニル共重合体）、ＰＶＢ（ポリビニルブチラール）、ＰＯＥ（ポリオレフィンエラストマー）またはＴＰＯ（２,４,６-トリメチルベンゾイル-ジフェニル-フォスフィンオキサイド）で、厚さは０.１〜２ｍｍである。
【００２６】
以上、図示されている実施例に基づいて本願の構造、特徴及び作用効果を詳しく説明した。以上の説明は、本願の好適な実施例のみであって、図面に示されることにより実施範囲を限定しない。本願の着想に応じてなされた変更または補正が、同等に変化された等価の実施例で、明細書及び図示にカバーされる精神を超えていない場合、いずれも本願の保護範囲内に属する。
【符号の説明】
【００２７】
１  ガラス層 
１１  上層ガラス 
１２  下層ガラス 
１３  シート状の接着層 
２  太陽電池チップ
３  熱抵抗 
４  基板 
５  ブチルゴム
【図１】
0003217962.tif 000003
【図２】
0003217962.tif 000004